(57)【要約】【課題】スイッチの寿命を延ばすことが目的とされる。【解決手段】温調器１は、入力端子１１ａ，１１ｂ、電力変換装置１１、インバータ１２、スイッチＳ、モータ１３及び制御部２を備える。電力変換装置１１は、全波整流回路と倍電圧整流回路とを有し、入力端子１１ａ，１１ｂとインバータ１２との間に接続される。スイッチＳは、全波整流回路及び倍電圧整流回路のいずれを入力端子１１ａ，１１ｂとインバータ１２との間に接続するかを選択することができる。かかる温調器１に対して制御部２は、全波整流回路から倍電圧整流回路に接続を切り換えた時点から、温調器１で温調される対象の温度Ｔが設定温度Ｔ０に至るまで倍電圧整流回路への接続を維持する。【選択図】図１
2007236158.tif 000002
【特許請求の範囲】
【請求項１】
交流電圧が供給される一対の入力端子（１１ａ，１１ｂ）と、
前記交流電圧を全波整流する全波整流回路（１１）と、
前記交流電圧を倍電圧整流する倍電圧整流回路（１１）と、
前記全波整流回路及び倍電圧整流回路のいずれか一方からの出力を所望の電圧に変換するインバータ（１２）と、
前記入力端子と前記インバータとの間で前記全波整流回路及び前記倍電圧整流回路のいずれを接続するかを選択可能なスイッチ（Ｓ）と
を備える温調器（１）を、制御する方法であって、
前記全波整流回路から前記倍電圧整流回路に接続を切り換えた時点（ｔ２）から、前記温調器で温調される対象の温度（Ｔ）が前記温調器で設定された設定温度（Ｔ０）に至るまで、前記倍電圧整流回路への接続を維持する、温調器の制御方法。
【請求項２】
前記温調器（１）の起動から前記時点（ｔ２）までの前記スイッチ（Ｓ）の切換えを、前記時点での前記切換えを含めて所定の回数だけ行う、請求項１記載の温調器の制御方法。
【請求項３】
前記所定の回数は２回である、請求項２記載の温調器の制御方法。
【請求項４】
前記スイッチの最初の前記切換えからの前記切換えの回数が所定の回数に至った後は、前記倍電圧整流回路への接続を維持する、請求項１乃至請求項３のいずれか一つに記載の温調器の制御方法。
【請求項５】
前記全波整流回路及び前記倍電圧整流回路（１１）は、
カソードが前記入力端子の一方（１１ａ）に接続される第１のダイオード（Ｄ１）と、
アノードが前記入力端子の前記一方に接続される第２のダイオード（Ｄ２）と、
カソードが前記入力端子の他方（１１ｂ）に接続され、アノードが前記第１のダイオードのアノードに接続される第３のダイオード（Ｄ３）と、
アノードが前記入力端子の前記他方に接続され、カソードが前記第２のダイオードのカソードに接続される第４のダイオード（Ｄ４）と、
前記第１のダイオードの前記アノードと前記第２のダイオードの前記カソードとの間で直列に接続される第１及び第２のコンデンサ（Ｃ１，Ｃ２）と
を共有し、
前記スイッチ（Ｓ）は、前記第１のコンデンサと前記第２のコンデンサとが相互に接続される位置（ｒ１）と、前記入力端子の前記他方との間に接続される、請求項１乃至請求項４のいずれか一つに記載の温調器の制御方法。
【請求項６】
請求項１乃至請求項５のいずれか一つに記載の温調器の制御方法を実行する、温調器の制御装置。
【請求項７】
請求項２乃至請求項４のいずれか一つに記載の温調器の制御方法を実行する制御装置（２）であって、
前記スイッチ（Ｓ）の前記最初の前記切換えからの前記切換えの前記回数を記憶する記憶部（２２）を有し、
前記スイッチの前記切換えごとに前記記憶部に記憶した前記切換えの前記回数を更新する、温調器の制御装置。
【請求項８】
請求項６または請求項７に記載の温調器の制御装置（２）と、
交流電圧が供給される一対の入力端子（１１ａ，１１ｂ）と、
前記交流電圧を全波整流する全波整流回路（１１）と、
前記交流電圧を倍電圧整流する倍電圧整流回路（１１）と、
前記全波整流回路及び倍電圧整流回路のいずれか一方からの出力を所望の電圧に変換するインバータ（１２）と、
前記入力端子と前記インバータとの間で前記全波整流回路及び前記倍電圧整流回路のいずれを接続するかを選択可能なスイッチ（Ｓ）と
を備える、温調器。
【請求項９】
前記全波整流回路及び前記倍電圧整流回路（１１）は、
カソードが前記入力端子の一方（１１ａ）に接続される第１のダイオード（Ｄ１）と、
アノードが前記入力端子の前記一方に接続される第２のダイオード（Ｄ２）と、
カソードが前記入力端子の他方（１１ｂ）に接続され、アノードが前記第１のダイオードのアノードに接続される第３のダイオード（Ｄ３）と、
アノードが前記入力端子の前記他方に接続され、カソードが前記第２のダイオードのカソードに接続される第４のダイオード（Ｄ４）と、
前記第１のダイオードの前記アノードと前記第２のダイオードの前記カソードとの間で直列に接続される第１及び第２のコンデンサ（Ｃ１，Ｃ２）と
を共有し、
前記スイッチ（Ｓ）は、前記第１のコンデンサと前記第２のコンデンサとが相互に接続される位置（ｒ１）と、前記入力端子の前記他方との間に接続される、請求項８記載の温調器。
【請求項１０】
前記スイッチ（Ｓ）はラッチリレーである、請求項８または請求項９記載の温調器。
【発明の詳細な説明】
【技術分野】
【０００１】
本発明は温調器の制御に関し、特に二種の整流回路を切り換えるスイッチの切換えに関する。
【背景技術】
【０００２】
温調器は、入力された電圧を整流する電力変換装置と、整流された電圧を所望の電圧に変換するインバータとを備える。そして、当該所望の電圧をモータに供給することで、モータを駆動して、温調の対象である例えば室内の空気の温度を調節する。
【０００３】
電力変換装置は、倍電圧整流回路と、全波整流回路とを有し、これらのいずれか一方がスイッチによって切換え可能に選択される。つまり、選択された一方がインバータに接続される。例えば、モータの仕事率が大きく高い電圧が必要な場合には倍電圧整流回路が選択され、当該仕事率が小さく高い電圧を必要としない場合には全波整流回路が選択される。
【０００４】
かかる制御により、低速時のモータ位置検出精度を向上し、またトルクの脈動成分を低減することで、低騒音・低振動化を図る技術が特許文献１に開示されている。また、かかる制御により、低速時のモータ効率の向上を図る技術が特許文献２に開示されている。なお、特許文献２では、システムの安定性を向上するために、スイッチの切換え後、一定時間だけ切換えを禁止する技術が紹介されている。
【０００５】
【特許文献１】特開昭６１−１１２５７５号公報
【特許文献２】特開平１１−３２４９８号公報
【発明の開示】
【発明が解決しようとする課題】
【０００６】
しかし、従来の温調器では、切換え直後の切換えを控えるものはあるが、温調の対象の温度が温調器で設定された設定温度に到達するまでの長い期間では、倍電圧整流回路と全波整流回路とが頻繁に切り換えられていた。換言すれば、スイッチの切り換えが頻繁に行われていた。このため、切り換えによりスイッチが磨耗しやすくなり、以ってスイッチの寿命が短くなる可能性があった。
【０００７】
本発明は、上述した事情に鑑みてなされたものであり、スイッチの寿命を延ばすことが目的とされる。
【課題を解決するための手段】
【０００８】
この発明の請求項１にかかる温調器の制御方法は、  交流電圧が供給される一対の入力端子（１１ａ，１１ｂ）と、前記交流電圧を全波整流する全波整流回路（１１）と、前記交流電圧を倍電圧整流する倍電圧整流回路（１１）と、前記全波整流回路及び倍電圧整流回路のいずれか一方からの出力を所望の電圧に変換するインバータ（１２）と、前記入力端子と前記インバータとの間で前記全波整流回路及び前記倍電圧整流回路のいずれを接続するかを選択可能なスイッチ（Ｓ）とを備える温調器（１）を、制御する方法であって、前記全波整流回路から前記倍電圧整流回路に接続を切り換えた時点（ｔ２）から、前記温調器で温調される対象の温度（Ｔ）が前記温調器で設定された設定温度（Ｔ０）に至るまで、前記倍電圧整流回路への接続を維持する。
【０００９】
この発明の請求項２にかかる温調器の制御方法は、請求項１記載の温調器の制御方法であって、前記温調器（１）の起動から前記時点（ｔ２）までの前記スイッチ（Ｓ）の切換えを、前記時点での前記切換えを含めて所定の回数だけ行う。
【００１０】
この発明の請求項３にかかる温調器の制御方法は、請求項２記載の温調器の制御方法であって、前記所定の回数は２回である。
【００１１】
この発明の請求項４にかかる温調器の制御方法は、請求項１乃至請求項３のいずれか一つに記載の温調器の制御方法であって、前記スイッチの最初の前記切換えからの前記切換えの回数が所定の回数に至った後は、前記倍電圧整流回路への接続を維持する。
【００１２】
この発明の請求項５にかかる温調器の制御方法は、請求項１乃至請求項４のいずれか一つに記載の温調器の制御方法であって、前記全波整流回路及び前記倍電圧整流回路（１１）は、カソードが前記入力端子の一方（１１ａ）に接続される第１のダイオード（Ｄ１）と、アノードが前記入力端子の前記一方に接続される第２のダイオード（Ｄ２）と、カソードが前記入力端子の他方（１１ｂ）に接続され、アノードが前記第１のダイオードのアノードに接続される第３のダイオード（Ｄ３）と、アノードが前記入力端子の前記他方に接続され、カソードが前記第２のダイオードのカソードに接続される第４のダイオード（Ｄ４）と、前記第１のダイオードの前記アノードと前記第２のダイオードの前記カソードとの間で直列に接続される第１及び第２のコンデンサ（Ｃ１，Ｃ２）とを共有し、前記スイッチ（Ｓ）は、前記第１のコンデンサと前記第２のコンデンサとが相互に接続される位置（ｒ１）と、前記入力端子の前記他方との間に接続される。
【００１３】
この発明の請求項６にかかる温調器の制御装置は、請求項１乃至請求項５のいずれか一つに記載の温調器の制御方法を実行する。
【００１４】
この発明の請求項７にかかる温調器の制御装置は、請求項２乃至請求項４のいずれか一つに記載の温調器の制御方法を実行する制御装置（２）であって、前記スイッチ（Ｓ）の前記最初の前記切換えからの前記切換えの前記回数を記憶する記憶部（２２）を有し、前記スイッチの前記切換えごとに前記記憶部に記憶した前記切換えの前記回数を更新する。
【００１５】
この発明の請求項８にかかる温調器は、請求項６または請求項７に記載の温調器の制御装置（２）と、交流電圧が供給される一対の入力端子（１１ａ，１１ｂ）と、前記交流電圧を全波整流する全波整流回路（１１）と、前記交流電圧を倍電圧整流する倍電圧整流回路（１１）と、前記全波整流回路及び倍電圧整流回路のいずれか一方からの出力を所望の電圧に変換するインバータ（１２）と、前記入力端子と前記インバータとの間で前記全波整流回路及び前記倍電圧整流回路のいずれを接続するかを選択可能なスイッチ（Ｓ）とを備える。
【００１６】
この発明の請求項９にかかる温調器は、請求項８記載の温調器であって、前記全波整流回路及び前記倍電圧整流回路（１１）は、カソードが前記入力端子の一方（１１ａ）に接続される第１のダイオード（Ｄ１）と、アノードが前記入力端子の前記一方に接続される第２のダイオード（Ｄ２）と、カソードが前記入力端子の他方（１１ｂ）に接続され、アノードが前記第１のダイオードのアノードに接続される第３のダイオード（Ｄ３）と、アノードが前記入力端子の前記他方に接続され、カソードが前記第２のダイオードのカソードに接続される第４のダイオード（Ｄ４）と、前記第１のダイオードの前記アノードと前記第２のダイオードの前記カソードとの間で直列に接続される第１及び第２のコンデンサ（Ｃ１，Ｃ２）とを共有し、前記スイッチ（Ｓ）は、前記第１のコンデンサと前記第２のコンデンサとが相互に接続される位置（ｒ１）と、前記入力端子の前記他方との間に接続される。
【００１７】
この発明の請求項１０にかかる温調器は、請求項８または請求項９記載の温調器であって、前記スイッチ（Ｓ）はラッチリレーである。
【発明の効果】
【００１８】
この発明の請求項１にかかる温調器の制御方法によれば、当該時点から当該対象の温度が設定温度になるまで倍電圧整流回路への接続を維持することで、当該時点から全波整流回路への接続と倍電圧整流回路への接続を相互に切り換えて当該対象の温度を設定温度にするよりも、切換えの回数が減少し、以ってスイッチの寿命が延びる。
【００１９】
この発明の請求項２にかかる温調器の制御方法によれば、温調器の起動後のスイッチの切換え回数を所定の回数に制限することで、切換えの回数が減少し、以ってスイッチの寿命が延びる。
【００２０】
この発明の請求項３にかかる温調器の制御方法によれば、温調器の起動時に倍電圧整流回路が選択されるので、温調器の起動後、対象の温度を著しく変化させることができる。しかも、温調器の起動から対象の温度が設定温度になるまでスイッチの切換えが２回しか行われないので、スイッチの寿命が延びる。
【００２１】
この発明の請求項４にかかる温調器の制御方法によれば、スイッチの寿命を延ばしつつも、温度制御能力が不足することを回避できる。また、切換えの制御が不能になる前に、倍電圧整流回路に接続してその状態を維持することで、例えばスイッチが破壊されて全波整流回路に接続されたままスイッチの制御が不能になり、温度制御能力が不足することを回避できる。
【００２２】
この発明の請求項５にかかる温調器の制御方法によれば、スイッチがオフに制御されると、ブリッジダイオードと第１及び第２のコンデンサとで倍電圧整流回路が構成され、スイッチがオンに制御されると、ブリッジダイオードと第１及び第２のコンデンサとで全波整流回路が構成される。よって、当該スイッチの切換えによって倍電圧整流回路への接続と全波整流回路への接続とを相互に切り換えることができる。
【００２３】
この発明の請求項６にかかる温調器の制御装置によれば、請求項１乃至請求項５のいずれか一つに記載の制御が実行できる。
【００２４】
この発明の請求項７にかかる温調器の制御装置によれば、スイッチの切換え回数を記憶し更新することで、請求項２乃至請求項４のいずれか一つに記載の温調器の制御を精度良く実行することができる。
【００２５】
この発明の請求項８または請求項９にかかる温調器によれば、スイッチの寿命が延び、かつ温調器において温度制御能力が低下しにくい。
【００２６】
この発明の請求項１０にかかる温調器によれば、スイッチで消費される電力が小さい。
【発明を実施するための最良の形態】
【００２７】
図１は、本発明にかかる温調器１を概念的に示す。温調器１は、入力端子１１ａ，１１ｂ、電力変換装置１１、インバータ１２、スイッチＳ、モータ１３及び制御部２を備える。
【００２８】
入力端子１１ａ，１１ｂは、その間に交流電圧Ｖｃが印加され、交流電圧Ｖｃを電力変換装置１１に供給する。
【００２９】
電力変換装置１１は、全波整流回路と倍電圧整流回路とを有し、入力端子１１ａ，１１ｂとインバータ１２との間に接続される。全波整流回路は交流電圧Ｖｃを全波整流し、倍電圧整流回路は交流電圧Ｖｃを倍電圧整流する。
【００３０】
スイッチＳは、全波整流回路及び倍電圧整流回路のいずれを入力端子１１ａ，１１ｂとインバータ１２との間に接続するかを選択することができる。スイッチＳには、例えばラッチリレーを採用することが望ましい。なぜなら、スイッチＳで消費される電力が小さくなるからである。また、比較的寿命の短いラッチリレーであっても良い。
【００３１】
電力変換装置１１及びスイッチＳの具体的な構成について以下に説明する。
【００３２】
電力変換装置１１は、ブリッジダイオード１１１とコンデンサＣ１，Ｃ２とを有する。
【００３３】
ブリッジダイオード１１１はダイオードＤ１〜Ｄ４を有する。ダイオードＤ１のカソード及びダイオードＤ２のアノードは各々、入力端子１１ａに接続される。ダイオードＤ３については、カソードが入力端子１１ｂに、アノードがダイオードＤ１のアノードに、それぞれ接続される。ダイオードＤ４については、アノードが入力端子１１ｂに、カソードがダイオードＤ２のカソードに、それぞれ接続される。
【００３４】
コンデンサＣ１，Ｃ２は、ダイオードＤ１のアノードとダイオードＤ２のカソードとの間で直列に接続される。
【００３５】
スイッチＳは、コンデンサＣ１，Ｃ２が相互に接続される位置ｒ１と、入力端子１１ｂとの間に接続される。
【００３６】
そして、スイッチＳをオンに制御することで、位置ｒ１と入力端子１１ｂとの間が短絡するので、電力変換装置１１は全波整流回路として機能する。他方、スイッチＳをオフに制御することで、位置ｒ１と入力端子１１ｂとの間が開放されるので、電力変換装置１１は倍電圧整流回路として機能する。つまり、スイッチＳの切換えによって倍電圧整流回路への接続と全波整流回路への接続とを相互に切り換えることができる。
【００３７】
上述した内容は、倍電圧整流回路と全波整流回路とがブリッジダイオード１１１及びコンデンサＣ１，Ｃ２を共有すると把握することができる。
【００３８】
スイッチＳの制御は、制御部２によって行われる。具体的には、制御部２はスイッチ切換部２１を有し、スイッチ切換部２１がスイッチＳのオン／オフを制御する。
【００３９】
インバータ１２には、電力変換装置１１の出力が供給される。インバータ１２は、当該出力を所望の交流電圧に変換し、当該交流電圧を負荷に供給する。図１では、所望の交流電圧が３相交流電圧であって、これがモータ１３に与えられる場合が示されている。
【００４０】
かかる温調器１では、モータ１３を駆動することで、温調の対象である空気などの温度を調節する。
【００４１】
モータ１３の出力は、スイッチ切換部２１によるスイッチＳのオン／オフによって制御される。例えば、当該対象の温度を著しく変化させる場合にはスイッチＳをオフすることで倍電圧整流回路を選択し、当該対象の温度を維持する場合や緩やかに変化させる場合にはスイッチＳをオンすることで全波整流回路を選択する。
【００４２】
そして、スイッチ切換部２１でスイッチＳのオン／オフを制御することで、当該対象の温度を、温調器１で設定された設定温度Ｔ０へと導くことができる。設定温度Ｔ０は、設定者が希望する温度に限らず、その他希望する温度よりも高い温度、または低い温度であっても良い。以下で、本発明にかかるスイッチＳの制御方法を説明する。
【００４３】
図２は、本発明にかかる（ｄ）スイッチＳのオン／オフの制御、並びに（ａ）対象の温度Ｔ、（ｂ）モータ１３の回転数及び（ｃ）直流電圧Ｖｄのそれぞれの時間変化を示す。
【００４４】
図２では、対象の温度Ｔが設定温度Ｔ０近傍にある時点ｔ１以降は、スイッチＳをオンに制御することで（図２（ｄ））、電力変換装置１１を全波整流回路として機能させている（図２（ｃ））。これにより、モータの回転数が低速に維持され（図２（ｂ））、以って対象の温度Ｔが設定温度Ｔ０近傍でほぼ一定に維持される（図２（ａ））。
【００４５】
その後、時点ｔ１１で対象の温度Ｔが著しく変化している（図２（ａ））。例えば、対象の温度が室温である場合には、扉の開閉によって室温が著しく変化する。
【００４６】
この場合、対象の温度Ｔを再び設定温度Ｔ０へと導くために、時点ｔ１１の直後の時点ｔ２で、スイッチＳをオフに切り換えることで（図２（ｄ））、電力変換装置１１を倍電圧整流回路として機能させる（図２（ｃ））。これにより、モータ１３の回転数が増大され（図２（ｂ））、以って対象の温度Ｔが再び設定温度Ｔ０へと導かれる（図２（ａ））。
【００４７】
電力変換装置１１を全波整流回路としての機能から倍電圧整流回路として機能へと切り換えた時点ｔ２から、対象の温度Ｔが設定温度Ｔ０に至る時点ｔ３（図２（ａ））まで、電力変換装置１１を倍電圧整流回路として機能させておく。換言すれば、全波整流回路から倍電圧整流回路に接続を切り換えた時点ｔ２から、対象の温度Ｔが設定温度Ｔ０に至るまで倍電圧整流回路への接続を維持する。
【００４８】
時点ｔ３後、対象の温度Ｔが超えた場合には、モータ１３の駆動が停止される。図２を用いて説明すれば、対象の温度Ｔが設定温度Ｔ０を超えて低くなった時点ｔ３１で、モータ１３の駆動が停止される。
【００４９】
かかる制御によれば、時点ｔ２から時点ｔ３まで倍電圧整流回路への接続を維持することで、時点ｔ２から全波整流回路への接続と倍電圧整流回路への接続とを相互に切り換えながら対象の温度Ｔを設定温度Ｔ０に導くよりも、切換え回数が減少し、以ってスイッチＳの寿命が延びる。
【００５０】
図３は、モータ１３の駆動を停止（時点ｔ３１）した後に駆動を再開（時点ｔ４）した場合の、（ｄ）スイッチＳのオン／オフの制御、並びに（ａ）対象の温度Ｔ、（ｂ）モータ１３の回転数及び（ｃ）直流電圧Ｖｄのそれぞれの時間変化を示す。
【００５１】
図３では、モータ１３の駆動を停止（時点３１）した後、対象の温度Ｔが上昇し始めた時点ｔ４において、モータ１３の駆動を再開している。このとき、スイッチＳはオンに制御され、電力変換装置１１に全波整流回路として機能させている。これは、時点ｔ４においては対象の温度Ｔの設定温度Ｔ０からのズレ幅が小さいため、モータ１３の仕事量が小さく高い電圧を必要としないからである。このため、高いモータ効率で、対象の温度Ｔを設定温度Ｔ０に導くことができる。
【００５２】
時点ｔ４の後は、図２で示される時点ｔ１以降の制御と同様の制御を行う。すなわち、時点４１で対象の温度Ｔが上昇し、時点ｔ５で全波整流回路から倍電圧整流回路に接続を切り換えた後は、対象の温度Ｔが設定温度Ｔ０に至る時点ｔ６まで倍電圧整流回路への接続を維持する。その後、対象の温度Ｔが設定温度Ｔ０を超えて低くなった場合には（ｔ６１）、モータ１３の駆動を停止する。
【００５３】
図２に戻って、図２では時点ｔ０において、スイッチＳをオフに制御することで電力変換装置１１を倍電圧整流回路として機能させている。これは、時点ｔ０では対象の温度Ｔと設定温度Ｔ０との差が大きいからである。つまり、対象の温度Ｔを設定温度Ｔ０に導くために、モータ１３での仕事量を大きくする必要があり、高い電圧が必要とされる。なお、時点ｔ０として、温調器１を起動する時点や、モータ１３の駆動を開始する時点を採用することができる。
【００５４】
その後、対象の温度Ｔが設定温度Ｔ０近傍にまで至った場合（時点ｔ１）には、スイッチＳをオフからオンに切り換えることで、電力変換装置１１を全波整流回路として機能させる。時点ｔ１の後は、上述したのと同様の制御を行う。
【００５５】
かかる制御によれば、温調器を起動した時点ｔ０から対象の温度Ｔが設定温度Ｔ０にまる時点ｔ３まで、スイッチＳの切換えを２回しか行う必要がないので、スイッチＳの寿命が延びる。
【００５６】
モータ１３の駆動を停止した後に（時点ｔ３１）、電力変換装置１１を倍電圧整流回路として機能させたままモータ１３の駆動を再開した場合にも（図２での時点ｔ４）、上記制御を適用することができる。
【００５７】
上述では、時点ｔ０からモータ１３の駆動を最初に停止した時点ｔ３までに行うスイッチの切換えの回数を２回に制限しているが、例えば２回以上の回数で制限しても良い。
【００５８】
かかる制御によっても、切換えの回数が制限されるので、切換え回数が減少し、以ってスイッチＳの寿命が延びる。
【００５９】
かかる制御では、例えばスイッチＳの切換え毎に切換えの回数を記憶部２２に記憶しても良い。図１では、制御部２が記憶部２２を有する場合が示されているが、例えば制御部２に対して外部から記憶部２２が接続されても良い。
【００６０】
例えば、スイッチ切換部２１が切換えをスイッチＳに指示した場合には、記憶部２２から切換え回数を読込んで、これに１だけ加算した結果を、新たに記憶部２２に記憶する。そして、当該結果が所定の回数に達したとスイッチ切換部２１が判断した場合には、スイッチの切換えを停止する。
【００６１】
上述では、モータ１３の駆動を開始した時点ｔ０、つまり温調器１を起動した時点ｔ０からスイッチＳの切換えの回数を制限する制御を行う場合について説明したが、更に次のような制御を行っても良い。すなわち、温調器１において最初にスイッチＳが切り換えられた時点、例えば温調器１が製造されてから最初にスイッチＳが切り換えられた時点からの、スイッチＳの切換えの回数を制限する制御を行う。
【００６２】
具体的には、温調器１において最初にスイッチＳが切り換えられた時点からのスイッチＳの切換えの回数が、所定の回数に至った後は、スイッチＳをオフに制御して倍電圧整流回路への接続を維持する。
【００６３】
かかる制御によれば、スイッチＳの切換えの制御が不能になる前に、倍電圧整流回路に接続してその状態が維持されるので、例えばスイッチが破壊されて全波整流回路に接続されたままスイッチＳの制御が不能になり、温度制御能力が不足することが回避できる。
【００６４】
かかる制御においても上述したのと同様に記憶部２２を用いることができる。
【図面の簡単な説明】
【００６５】
【図１】本発明にかかる温調器を概念的に示す図である。
【図２】本発明にかかる温調器の制御を概念的に示す図である。
【図３】本発明にかかる温調器の制御を概念的に示す図である。
【符号の説明】
【００６６】
１  温調器
２  制御装置
１１ａ，１１ｂ  入力端子
１１  電力変換装置（全波整流回路、倍電圧整流回路）
１２  インバータ
Ｓ  スイッチ
ｔ１  時点
Ｔ  対象の温度
Ｔ０  設定温度
Ｄ１〜Ｄ４  ダイオード
Ｃ１，Ｃ２  コンデンサ
ｒ１  位置
【図１】
2007236158.tif 000003
【図２】
2007236158.tif 000004
【図３】
2007236158.tif 000005